(57)【要約】      （修正有）【課題】加熱コイルより発生する漏洩磁束の低減用磁気シールド部材の発熱による損失を低減することで加熱効率の低減を防ぐ。【解決手段】加熱コイル４と、加熱コイル４に高周波電流を供給する周波数変換装置７と、電気絶縁部材で形成され加熱コイル４を保持する加熱コイル保持台３と、加熱コイル４の周囲に設けられ加熱コイル４の発生する磁束を相殺するためにアルミなどの導電材料で形成されたうち抜きのリング板からなる磁気シールド部材９とを備え、磁気シールド部材９の一部または全部を加熱コイル４の下面よりも下方に設置することにより、加熱コイル４より発生する磁束のうち下方向の漏洩磁束を低減し磁気シールド部材９の発熱による損失を低減することで加熱効率の低減を防ぐことができる。【選択図】図１
2005123010.tif 000002
【特許請求の範囲】
【請求項１】
加熱コイルと、前記加熱コイルに高周波電流を供給する周波数変換装置と、電気絶縁部材で形成され前記加熱コイルを保持する加熱コイル保持台と、前記加熱コイルの周囲に設けられ前記加熱コイルの発生する磁束を相殺するためにアルミなどの導電材料で形成されたうち抜きのリング板からなる磁気シールド部材とを備え、前記磁気シールド部材の一部または全部を加熱コイルの下面よりも下方に設置してなる誘導加熱調理器。
【請求項２】
磁気シールド部材は、リングの内周側をＬ字に曲げた請求項１に記載の誘導加熱調理器。
【請求項３】
加熱コイルの下方に加熱コイルが発生する磁束を集中させる板状のフェライトを備え、磁気シールド部材の内周Ｌ字曲げ先端部を前記フェライト上面部よりも下になる構成とする請求項２に記載の誘導加熱調理器。
【請求項４】
磁気シールド部材の内周Ｌ字部の高さ寸法をフェライトの断面の高さ寸法以上の長さとする請求項２に記載の誘導加熱調理器。
【請求項５】
加熱コイルの外周を光らせる発光手段と、前記発光手段による光を前記加熱コイルの外周に導く導光手段とを備え、前記導光手段を磁気シールド部材の上部に配置した請求項１〜４のいずれか１項に記載の誘導加熱調理器。
【発明の詳細な説明】
【技術分野】
【０００１】
本発明は加熱コイルから発生されて周囲に漏洩する磁界を低減する磁気シールド用部材を備えた誘導加熱調理器に関するものである。
【背景技術】
【０００２】
従来この種の誘導加熱調理器は，加熱コイルを保持する加熱コイル保持台に設置された磁気シールド部材として帯状の導電板をリング状に巻いたものや、導電線を閉ループ状に形成したものや、アルミ板を凹状に加工したものを加熱コイルの外周に設置したものであった（例えば、特許文献１参照）。
【０００３】
図６は、特許文献１に記載された従来の誘導加熱調理器を示すものである。図６に示すように、本体１０１の底面に設けられた支柱１０２の上には加熱コイル保持台１０３が載置され、ねじにより固定されている。加熱コイル保持台１０３には加熱コイル１０４が載置され、その上部にはセラミック製のトッププレート１０５が配設されている。加熱コイル１０４はコイルホルダー１０６によりその周辺部が加熱コイル保持台１０３に押さえつけられて固定され、本体１０１内に配設されたインバータなどの周波数変換装置１０７から高周波電流が供給される。加熱コイル１０４の外周面には溝１０８を設け、この溝１０８内には板状のアルミ板を断面が凹状にプレス加工して形成した磁気シールド部材１０９が挿入されて固定されている。
【特許文献１】特開２００３−１９７３５９号公報
【発明の開示】
【発明が解決しようとする課題】
【０００４】
しかしながら、前記従来の構成では、磁気シールド部材は漏洩磁界の低減効果はあるが、本来非加熱物を加熱する上で必要な磁束に対しても低減させてしまうとともに、磁気シールド部材の損失が大きく本来の非加熱物に供給されるべき電力が失われ、加熱効率の減少の要因となっている。本発明は磁気シールド部材の漏洩磁界低減効果の確保とともに、磁気シールド部材自身に流れる誘導電流による発熱で磁気シールド部材自身が温度上昇するのを抑制する誘導加熱調理器を提供することを目的とする。
【課題を解決するための手段】
【０００５】
前記従来の課題を解決するために、本発明の誘導加熱調理器は、磁気シールド部材の一部または全部を加熱コイルの下面よりも下方に設置してなるものである。
【０００６】
磁気シールド部材を加熱コイルの下方に配置することで、加熱コイルより発生する磁束のうち下方向の漏洩磁束を低減し磁気シールド部材の発熱による損失を低減することで加熱効率の低減を防ぐことができる。
【発明を実施するための最良の形態】
【０００７】
請求項１記載の発明は、加熱コイルと、前記加熱コイルに高周波電流を供給する周波数変換装置と、電気絶縁部材で形成され前記加熱コイルを保持する加熱コイル保持台と、前記加熱コイルの周囲に設けられ前記加熱コイルの発生する磁束を相殺するためにアルミなどの導電材料で形成されたうち抜きのリング板からなる磁気シールド部材とを備え、前記磁気シールド部材の一部または全部を加熱コイルの下面よりも下方に設置するものであり、加熱コイルより発生する磁束のうち下方向の漏洩磁束を低減し磁気シールド部材の発熱による損失を低減することで加熱効率の低減を防ぐことができる。
【０００８】
更に請求項２記載の発明は、磁気シールド部材は、リングの内周側をＬ字に曲げたものからなるであり、内周側を曲げることで磁気シールド部材の強度を上げ平面度を保つことができる。
【０００９】
更に請求項３記載の発明は、加熱コイルの下方に加熱コイルが発生する磁束を集中させる板状のフェライトを備え、磁気シールド部材の内周Ｌ字曲げ先端部を前記フェライト上面部よりも下になる構成とするものであり、前記加熱コイルと前記フェライト間からの漏洩磁束を低減することができる。
【００１０】
更に請求項４記載の発明は、磁気シールド部材の内周Ｌ字部をフェライトの断面以上の長さとするものであり、前記フェライトにより集中した磁束のうちの下面への漏洩磁束を低減することができる。
【００１１】
更に請求項５記載の発明は、請求項１乃至４の誘導加熱調理器のうち、加熱コイルの外周を光らせる発光手段と、前記発光手段による光を前記加熱コイルの外周に導く導光手段とを備え、前記導光手段を磁気シールド部材の上部に配置したものであり、前記導光手段を前記磁気シールド部材上に配置するので、加熱コイル保持台を小型化することができるとともに、磁気シールド部材に前記発光手段により発せられた光を反射させることができ前記発光手段の電流を低減することができる。
【００１２】
以下、本発明の実施の形態について、図面を参照しながら説明する。なお、この実施の形態によって本発明が限定されるものではない。
【００１３】
（実施の形態１）
図１は、本発明の第１の実施の形態における誘導加熱調理器の断面図である。
【００１４】
図１に示すように、本体１の底面に設けられた支柱２の上には加熱コイル保持台３が載置され、ねじにより固定されている。加熱コイル保持台３には加熱コイル４が載置され、その上部にはセラミック製のトッププレート５が配設されている。加熱コイル４はコイルホルダー６によりその周辺部が加熱コイル保持台３に押さえつけられて固定され、本体１内に配設されたインバータなどの周波数変換装置７から高周波電流が供給される。８は加熱コイル４の外周面に設けた溝で、９はアルミなどの導電材料で形成されたうち抜きのリング板からなる磁気シールド部材であり、溝８内で加熱コイル４の下面よりも下に設置されている。
【００１５】
以上のような構成において、加熱コイル４に周波数変換装置７から高周波電流が供給すると、加熱コイル４からは磁界が発生し、トッププレート５上に載置された鍋に磁束が鎖交して鍋に渦電流が発生し、これにより鍋がジュール熱により発熱する。また、加熱コイル４から発生した磁界は磁気シールド部材９に誘導電流を発生させる。これにより磁気シールド部材９からも磁界が発生し加熱コイル４から周辺に漏洩する磁界を抑制する。そして、磁気シールド部材９を加熱コイル４の下面より下に設置することで、本来鍋を加熱するのに必要な磁束については低減することなく漏洩磁束を低減できる。また、磁束シールド部材９は加熱コイル４から受ける磁束は減少するので誘導電流も減少し、磁気シールド部材９の発熱を抑制できる。これにより無駄な損失を防ぎ加熱効率を向上させることができる。
【００１６】
図２は磁気シールド部材９の断面構造図である。図のようにリング状の内側をＬ時に曲げることにより強度を上げることができる。なお、磁気シールド部材９は平面のリング板としたが凸凹を付けても良い。これにより磁気シールド部材９の強度をさらに確保することもできる。
【００１７】
また、本実施例では、リング状の内側をＬ時に曲げたＬ字型としたが、外周部については、特に形状を特定する必要はなく、外周部において折り曲げ部を有し、リングの断面形状がＬ字とならなくても同様の効果が得られるもので、内周部にＬ字型の折り曲げ部を備えることが特徴である。
【００１８】
（実施の形態２）
図３は、本発明の第２の実施の形態における誘導加熱調理器の断面を示す図である。なお実施の形態１に示した構成については同じ番号を付与し、異なる構成についてのみ説明する。
【００１９】
１０は加熱コイル４が発生する磁束を集中させる板状のフェライトであり、加熱コイル保持台３に一体成型されて取り付けられている。フェライト１０を取り付けることにより磁束を集中させ磁束の広がりを抑えている。更に内側をＬ字に曲げた磁気シールド部材９が加熱コイルの外周に取り付けられている。
【００２０】
図のように磁気シールド部材９の内側Ｌ字曲げ先端部９ａをフェライト１０の上面よりも低くなる構成とすることで、加熱コイル４とフェライト１０の間からの漏洩磁束を抑えることができる。更に磁気シールド部材９の内側Ｌ字曲げ部の高さ寸法Ｂをフェライト１０の厚み寸法Ａより長くする、あるいは、磁気シールド部材９の内側Ｌ字曲げ先端部９ａをフェライト１０の下面よりも低くなる構成とすることでフェライト１０から下方への漏洩磁束の低減を測ることができる。
【００２１】
（実施の形態３）
図４は、本発明の第３の実施の形態における誘導加熱調理器の断面を示す図である。なお実施の形態１に示した構成については同じ番号を付与し、異なる構成についてのみ説明する。
【００２２】
１１は発光ダイオードからなり加熱コイルの外周を光らせる発光手段、１２は発光手段１１による光を加熱コイル４の外周に導く導光手段で磁気シールド部材９の上部に配置した構成である。
【００２３】
上記のような構成において、発光手段１１より放射状に発せられた光が導光手段１２を介して加熱コイル４の外周を光らす際、下方の光は図５のように磁気シールド部材９により反射させることができ、必要な光量に対して発光手段の電流を低減することができる。
【００２４】
また、磁気シールド部材９と導光手段１２を上下に設置することで加熱コイル保持台３の外形サイズを小さくし材料費の低減が図れる。
【産業上の利用可能性】
【００２５】
以上のように、本発明にかかる誘導加熱調理器は磁気シールド部材自身の発熱による損失を低減することが可能であり、調理器以外での誘導加熱分野においても適用できる。
【図面の簡単な説明】
【００２６】
【図１】本発明の実施の形態１における誘導加熱調理器の断面図
【図２】同、磁気シールド部材の断面を示す図
【図３】本発明の実施の形態２における誘導加熱調理器の断面を示す図
【図４】本発明の実施の形態３における誘導加熱調理器の断面を示す図
【図５】同、構成部品の断面図
【図６】従来の誘導加熱調理器の断面図
【符号の説明】
【００２７】
３  加熱コイル保持台
４  加熱コイル
７  周波数変換装置
９  磁気シールド部材
１０  フェライト
１１  発光手段
１２  導光手段
【図１】
2005123010.tif 000003
【図２】
2005123010.tif 000004
【図３】
2005123010.tif 000005
【図４】
2005123010.tif 000006
【図５】
2005123010.tif 000007
【図６】
2005123010.tif 000008